(57)【要約】【課題】開き戸の扉の開閉に影響なく据え付け可能なスロープ台を提供する。【解決手段】スロープ台１は、スロープ板１０と、スロープ板１０の傾斜角度を変える傾斜角可変装置２０とを備える。傾斜角可変装置２０は、スロープ板１０の長手方向に直行して配置される回転軸２１と、回転軸２１を回転させる駆動装置２４と、スロープ板１０を支持する支持部材２６とを有する。支持部材２６は、回転軸２１の軸方向に対して垂直方向に離間して回転軸２１に固定されるとともに、スロープ板１０の昇降側を下方から支持しており、回転軸２１の回転により、支持部材２６が付随して回転することにより、スロープ板１０の昇降側が昇降して、スロープ板１０の傾斜角度が変化する。【選択図】図１
0003235056.tif 000002
【実用新案登録請求の範囲】
【請求項１】
スロープ板と、
前記スロープ板の傾斜角度を変える傾斜角可変装置と、を備え、
前記傾斜角可変装置は、前記スロープ板の長手方向に直行して配置される回転軸と、前記回転軸を回転させる駆動装置と、前記スロープ板を支持する支持部材と、を有し、
前記支持部材は、前記回転軸の軸方向に対して垂直方向に離間して前記回転軸に固定されるとともに、前記スロープ板の昇降側を下方から支持しており、
前記回転軸の回転により、前記支持部材が付随して回転することにより、前記スロープ板の昇降側が昇降して、前記スロープ板の傾斜角度が変化する、
ことを特徴とするスロープ台。
【請求項２】
前記駆動装置は、伸縮可能なアームを有し、
前記回転軸から垂直方向に延びる接続桿と前記アームの先端部とが回転可能に接続されており、
前記アームの伸縮によって前記回転軸が回転する、
ことを特徴とするスロープ台。
【考案の詳細な説明】
【技術分野】
【０００１】
本考案は、スロープ台に関する。
【背景技術】
【０００２】
種々の分野で、台車に対象物を載せて所定場所へ運搬、搬入することが行われている。例えば、食品工場では、対象物を台車に載せて、加熱室へと運搬、搬入して加工対象物を加熱することや、冷凍室等へ運搬、搬入することが行われている。通常、加熱室等はフロアに設置されており、加熱室等の内部の床面には断熱材が内設されていることから、フロアと加熱室等の内部の床面との間に段差ができてしまう。段差があると台車を加熱室等の内部まで搬入することができないので、台車を加熱室等の前まで運び、作業者が台車の対象物を加熱室等へ搬入する必要があり、作業者に重労働を強いるものであった。
【０００３】
段差がある場合でも、対象物を載せたまま台車等を移動させ得るスロープ台が種々提案されている（例えば、特許文献１〜３）。
【先行技術文献】
【特許文献】
【０００４】
【特許文献１】登録実用新案第３２２２０８６号公報
【特許文献２】登録実用新案第３２１３７９６号公報
【特許文献３】登録実用新案第３０９９７５０号公報
【考案の概要】
【考案が解決しようとする課題】
【０００５】
一般的に、加熱室等には搬入、搬出用の開き戸の扉があり、扉の下端は加熱室等の内部の床面よりも下方まで延びている。扉の下端を内部の床面に合わせると、密着性が損なわれ、熱気や冷気が漏れるためである。特許文献１〜３のようなスロープ台において、スロープ台の高い側が加熱室等の内部の床面に合うように設定されている場合、スロープ台が配置されると扉の開閉ができなくなるので、スロープ台を据え付けることができない。したがって、扉を開いてからスロープ台を設置して台車を搬入、搬出し、そして、スロープ台を除去してから扉を閉じる必要があり、扉の開閉の度にスロープ台の設置、除去をしなければならないという課題がある。
【０００６】
本考案は上記事項に鑑みてなされたものであり、その目的は、開き戸の扉の開閉に影響なく据え付け可能なスロープ台を提供することにある。
【課題を解決するための手段】
【０００７】
本考案に係るスロープ台は、
スロープ板と、
前記スロープ板の傾斜角度を変える傾斜角可変装置と、を備え、
前記傾斜角可変装置は、前記スロープ板の長手方向に直行して配置される回転軸と、前記回転軸を回転させる駆動装置と、前記スロープ板を支持する支持部材と、を有し、
前記支持部材は、前記回転軸の軸方向に対して垂直方向に離間して前記回転軸に固定されるとともに、前記スロープ板の昇降側を下方から支持しており、
前記回転軸の回転により、前記支持部材が付随して回転することにより、前記スロープ板の昇降側が昇降して、前記スロープ板の傾斜角度が変化する、
ことを特徴とする。
【０００８】
また、前記駆動装置は、伸縮可能なアームを有し、
前記回転軸から垂直方向に延びる接続桿と前記アームの先端部とが回転可能に接続されており、
前記アームの伸縮によって前記回転軸が回転する形態でもよい。
【考案の効果】
【０００９】
本考案によれば、扉の開閉に影響なく据え付け可能なスロープ台を提供することができる。
【図面の簡単な説明】
【００１０】
【図１】スロープ台の側面図である。
【図２】スロープ台の平面図である。
【図３】加熱室に据え付けられたスロープ台の動作を説明する側面図である。
【図４】加熱室に据え付けられたスロープ台の動作を説明する平面図である。
【図５】加熱室に据え付けられたスロープ台の動作を説明する側面図である。
【図６】加熱室に据え付けられたスロープ台の動作を説明する平面図である。
【図７】他の形態に係るスロープ台の側面図である。
【考案を実施するための形態】
【００１１】
図を参照しつつ、本実施の形態に係るスロープ台について説明する。スロープ台１は、図１、図２に示すように、スロープ板１０、傾斜角可変装置２０を備える。
【００１２】
スロープ板１０は、板状体であり、台車が通過するためのスロープとして機能する。スロープ板１０の長手方向の一端は、フロアに接しており、他端は支持部材２６によって下方から支持されている。本明細書においては、スロープ板１０の支持部材２６によって支持されている側を昇降側と記す。スロープ板１０は、長手方向の両端がフロア、支持部材２６によって支持されて傾斜した状態であるので、鉄板等、スロープ板１０に所定の重量物が載っても撓みが抑制される程度の機械的強度を有する素材から構成される。
【００１３】
傾斜角可変装置２０は、回転軸２１、軸受２２、接続桿２３、駆動装置２４、接続部材２５、支持部材２６を備える。
【００１４】
駆動装置２４は、伸縮可能なアーム２４ｃを有する。駆動装置２４は、例えば、エアシリンダーや油圧シリンダーである。駆動装置２４は、固定部２４ａを介してフロアや壁に固定されている。また、駆動装置２４は、固定部２４ａに回転可能に取り付けられている。アーム２４ｃの先端には接続部２４ｂが固定されている。
【００１５】
回転軸２１は一対の軸受２１に回転可能に軸支されている。回転軸２１は、スロープ板１０の長手方向に対して垂直に配置されている。回転軸２１の一方の端部には接続桿２３が固定されている。接続桿２３の桿部分は、回転軸２１に対して垂直方向に延びている。接続桿２３の桿部分の先端は、駆動装置２４の接続部２４ｂに回転可能に接続されている。
【００１６】
回転軸２１には、接続部材２５を介し、支持部材２６が間接的に固定されている。支持部材２６は、円柱状体であり、回転軸２１に対して平行に配置されている。支持部材２６はスロープ板１０の下面に当接し、摺動することから、支持部材２６の表面は摩擦抵抗が小さいことが好ましい。
【００１７】
上述した構成により、駆動装置２４のアーム２４ｃが伸縮すると、アーム２４ｃの先端の接続部２４ｂが接続桿２３を押し引きするので、接続桿２３が回転し、接続桿２３に固定されている回転軸２１が回転することになる。そして、接続部材２５の両端がそれぞれ回転軸２１、支持部材２６に固定されているので、回転軸２１が回転すると、支持部材２６も付随して回転する。即ち、支持部材２６は、所定間隔を空けて回転軸２１と平行に配置されているので、回転軸２１を中心にして公転する仕組みである。図１の場合、アーム２４ｃが縮むと支持部材２６が回転軸２１を支点にして時計回りに回転し、支持部材２６がスロープ板１０を上方に押し上げるので、スロープ板１０の昇降側が上昇する。また、その状態からアーム２４ｃが伸びると支持部材２６が反時計回りに回転し、スロープ板１０の昇降側は下降する。
【００１８】
続いて、加熱室にスロープ台１を据え付けた例を参照し、スロープ台１の動作について説明する。図３、図４に示すように、スロープ台１、２は、加熱室Ｃの扉Ｃ１の前に据え付けて使用される。扉Ｃ１は、観音開きの扉であり、それぞれの扉Ｃ１の前に、２つのスロープ台１、２が並べて据え付けられている。スロープ台１、２は、対象な構造をしており、２つの扉Ｃ１それぞれの開閉に応じて、それぞれ独立に稼働させることができる。
【００１９】
図３、４に示すように、スロープ板１０の昇降側が低い位置にあるときに、加熱室Ｃの扉Ｃ１を開く。扉Ｃ１の下端はスロープ板１０の昇降側よりも低い状態であるので、扉Ｃ１を開く際に、扉Ｃ１がスロープ板１０に引っかかることはない。
【００２０】
そして、駆動装置２４を駆動させ、図５、６に示すように、スロープ板１０の昇降側が加熱室Ｃの内部の床面Ｃ２と同じ高さになるよう、スロープ板１０の昇降側を上昇させる。
【００２１】
この状態で、図５に示すように、対象物を載せた台車Ｄをスロープ板１０の上を移動させて、加熱室Ｃの中へ搬入する。加熱室Ｃの中まで台車Ｄを入れ、対象物を台車Ｄから降ろした後、台車Ｄをスロープ板１０の上を移動させて、加熱室Ｃの外へ搬出する。
【００２２】
その後、図３、図４に示す元の状態、即ち、スロープ板１０の加熱室Ｃ側が扉Ｃ１の下端よりも低い位置までスロープ板１０の昇降側を下降させ、加熱室Ｃの扉Ｃ１を閉める。
【００２３】
このように、スロープ台１、２は、加熱室Ｃの開き戸の扉Ｃ１の開閉に影響を与えないので、加熱室Ｃの扉Ｃ１の前であっても据え付けたまま使用することができる。したがって、台車Ｄの搬入、搬出の度に、スロープ台１、２を設置、撤去する必要はない。
【００２４】
上記では、スロープ台１、２を食品工場の加熱室Ｃの前に据え付ける例について説明したが、スロープ台１、２の使用形態はこれに限定されない。スロープ台１、２は、段差を埋めて台車を移動させ得る場所であれば、どのような場所に据え付けて使用されてもよい。
【００２５】
また、駆動装置２４としてエアシリンダー等を用いて回転軸２１を回転させる形態について説明したが、回転軸２１を回転させる形態はこれに限られない。例えば、図７に示すスロープ台３ように、駆動装置２４としてモーターを用い、その回転力をチェーンやベルト等の回転伝達部材２７によって回転軸２１を回転させる形態であってもよい。そのほか、モーターの回転力を傘歯車やシャフト等を組み合わせた回転力伝達機構によって回転軸２１を回転させる形態など、種々の形態で許容される。
【符号の説明】
【００２６】
１〜３  スロープ台
１０    スロープ板
２０    傾斜角可変装置
２１    回転軸
２２    軸受
２３    接続桿
２４    駆動装置
２４ａ  固定部
２４ｂ  接続部
２４ｃ  アーム
２５    接続部材
２６    支持部材
２７    回転伝達部材
Ｃ      加熱室
Ｃ１    扉
Ｃ２    床面
Ｄ      台車
【図１】
0003235056.tif 000003
【図２】
0003235056.tif 000004
【図３】
0003235056.tif 000005
【図４】
0003235056.tif 000006
【図５】
0003235056.tif 000007
【図６】
0003235056.tif 000008
【図７】
0003235056.tif 000009
【手続補正書】
【提出日】令和3年9月28日(2021.9.28)
【手続補正１】
【補正対象書類名】実用新案登録請求の範囲
【補正対象項目名】全文
【補正方法】変更
【補正の内容】
【実用新案登録請求の範囲】
【請求項１】
スロープ板と、
前記スロープ板の傾斜角度を変える傾斜角可変装置と、を備え、
前記傾斜角可変装置は、前記スロープ板の長手方向に直行して配置される回転軸と、前記回転軸を回転させる駆動装置と、前記スロープ板を支持する支持部材と、を有し、
前記支持部材は、前記回転軸の軸方向に対して垂直方向に離間して前記回転軸に固定されるとともに、前記スロープ板の昇降側を下方から支持しており、
前記回転軸の回転により、前記支持部材が付随して回転することにより、前記スロープ板の昇降側が昇降して、前記スロープ板の傾斜角度が変化する、
ことを特徴とするスロープ台。
【請求項２】
前記駆動装置は、伸縮可能なアームを有し、
前記回転軸から垂直方向に延びる接続桿と前記アームの先端部とが回転可能に接続されており、
前記アームの伸縮によって前記回転軸が回転する、
ことを特徴とする請求項１に記載のスロープ台。